Podtech/llm-jp-corpus-v4-ja_patent huggingface dataset:
【手続補正書】
【提出日】平成15年11月13日(2003.11.13)
【手続補正１】
【補正対象書類名】特許請求の範囲
【補正対象項目名】全文
【補正方法】変更
【補正の内容】
【特許請求の範囲】
【請求項１】
ＨＩＶ−１のｅｎｖ遺伝子（６２６４−８８７９ｂｐ）が第１のサブゲノミックプロモータの下で作動できるように連結され、ＨＩＶ−１のｇａｇ遺伝子（８３２−２３２８ｂｐ）が第２のサブゲノミックプロモータの下で作動できるように連結された、αウィルスをベースとした発現ベクター。
【請求項２】
請求項１において、前記発現ベクターはｐＳＦＶ／ｅｎｖ−ｇａｇであることを特徴とする発現ベクター。
【請求項３】
ＨＩＶ−１のｇａｇ遺伝子（８３２−２３２８ｂｐ）が第１のサブゲノミックプロモータの下で作動できるように連結され、ＨＩＶ−１のｅｎｖ遺伝子（６２６４−８８７９ｂｐ）が第２のサブゲノミックプロモータの下で作動できるように連結された、αウィルスをベースとした発現ベクター。
【請求項４】
請求項３において、前記発現ベクターはｐＳＦＶ／ｇａｇ−ｅｎｖであることを特徴とする発現ベクター。
【請求項５】
ＨＩＶ−１のｅｎｖ遺伝子（６２６４−８８７９ｂｐ）が第１のサブゲノミックプロモータの下で作動できるように連結され、ＨＩＶ−１のｇａｇ遺伝子（８３２−２３２８ｂｐ）が第２のサブゲノミックプロモータの下で作動できるように連結され、ＨＩＶ−１のｐｒｏ遺伝子（２２６８−２６０６ｂｐ）が第３のサブゲノミックプロモータの下で作動できるように連結された、αウィルスをベースとした発現ベクター。
【請求項６】
請求項５において、前記発現ベクターはｐＳＦＶ／ｅｎｖ−ｇａｇ−ｐｒｏであることを特徴とする発現ベクター。
【請求項７】
ＨＩＶ−１のｅｎｖ遺伝子（６２６４−８８７９ｂｐ）が第１のサブゲノミックプロモータの下で作動できるように連結され、ＨＩＶ−１のｇａｇ遺伝子（８３２−２３２８ｂｐ）が第２のサブゲノミックプロモータの下で作動できるように連結され、ＨＩＶ−１のｇａｇｐｒｏ遺伝子（８３２−２５７７ｂｐ）が第３のサブゲノミックプロモータの下で作動できるように連結された、αウィルスをベースとした発現ベクター。
【請求項８】
請求項７において、前記発現ベクターはｐＳＦＶ／ｅｎｖ−ｇａｇ−ｇａｇｐｒｏ、およびｐＳＦＶ／ｅｎｖ−ｇａｇ−ｇａｇΔｐｒｏから選択されるものであることを特徴とする発現ベクター。
【請求項９】
ＨＩＶ−１のｇａｇｐｏｌ遺伝子（８３２−５１３２ｂｐ）が第１のサブゲノミックプロモータの下で作動できるように連結され、ＨＩＶ−１のｅｎｖ遺伝子（６２６４−８８７９ｂｐ）が第２のサブゲノミックプロモータの下で作動できるように連結された、αウィルスをベースとした発現ベクター。
【請求項１０】
請求項９において、前記発現ベクターはｐＳＦＶ／ｇａｇｐｏｌ−ｅｎｖであることを特徴とする発現ベクター。
【請求項１１】
請求項１〜１０のいずれか１項において、ＣＴＥ(constitutive transport element)遺伝子をさらに含むことを特徴とする発現ベクター。
【請求項１２】
請求項１１において、前記発現ベクターはｐＳＦＶ／ｅｎｖ−ｇａｇ−ｇａｇｐｒｏ−ＣＴＥ、ｐＳＦＶ／ｅｎｖ−ｇａｇ−ｇａｇΔｐｒｏ−ＣＴＥ、ｐＳＦＶ／ｇａｇｐｏｌ−ｅｎｖ−ＭＣＴＥ、およびｐＳＦＶ／ｇａｇ−ｅｎｖ−ＭＣＴＥから選択されるものであることを特徴とする発現ベクター。
【請求項１３】
寄託番号ＫＣＣＭ−１０２３３、ＫＣＣＭ−１０２３４、またはＫＣＣＭ−１０３４８で寄託された発現ベクター。
【請求項１４】
請求項１〜１３のいずれか１項による発現ベクター又はそのＲＮＡ転写物を動物細胞に導入して発現させることを特徴とするＨＩＶ様粒子（ＨＩＶＬＰ）の製造方法。
【請求項１５】
請求項１４において、前記ＨＩＶ様粒子は成熟ＨＩＶ様粒子、または感染性成熟ＨＩＶ様粒子であることを特徴とする製造方法。
【請求項１６】
請求項１〜１３のいずれか１項のベクターで形質転換された宿主細胞。
【請求項１７】
免疫反応を起こすのに充分な量の、請求項１〜１９のいずれか１項による発現ベクター、そのＲＮＡ転写物、または請求項１５に記載の製造方法によって製造された成熟ＨＩＶ様粒子を含むことを特徴とするＡＩＤＳワクチン組成物。
【請求項１８】
請求項１７に記載のワクチン組成物をヒトに投与することを特徴とするＡＩＤＳ予防法。
【請求項１９】
請求項１５の方法によって製造された成熟ＨＩＶ様粒子を含むことを特徴とするＨＩＶ感染を診断するための診断用キット。
【請求項２０】
（ａ）ＨＩＶ特異的抗体を含有するものと期待されるサンプルを採取する段階と、（ｂ）段階（ａ）から採取されたサンプルを抗原として請求項１５の方法によって製造された成熟ＨＩＶ様粒子と、抗原と抗体との結合がなされるようにして抗原−抗体免疫複合体を形成させる条件の下で接触させる段階と、（ｃ）免疫複合体の形成を検出する段階とを含むことを特徴とし、サンプル中でＨＩＶレトロウィルス抗原と特異的に反応する抗体の存在を決定する方法。
【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】  ベルト状の寸法現示体（１２）と、この寸法現示体（１２）に沿って運動させられ、その際、この寸法現示体（１２）上に記憶された情報を検出するセンサ（１４）と、このセンサ（１４）から得られる情報を評価し追加処理する評価ユニット（１６）とを有する長さ測定装置（１０）において、
寸法現示体（１２）が、少なくとも１つの端面でしか開放してない又は開放可能でない閉鎖された通路（４２）内に配設されていること、そして、固着手段（３８；４０．１，４０．２；５０；６０）が通路（４２）の内部に存在し、これらの固着手段が、寸法現示体（１２）が必要な場合に通路（４２）の端面からの取出しもしくは挿入によって交換することができるよう、寸法現示体（１２）を通路（４２）の内部に解体可能に固着するように構成されていることを特徴とする長さ測定装置。
【請求項２】  固着手段（３８；４０．１，４０．２；６０）が、寸法現示体（１２）を弾性的に調達される圧力によって固着するように構成されていることを特徴とする請求項１に記載の長さ測定装置。
【請求項３】  固着手段（３８；４０．１，４０．２；５０；６０）が、寸法現示体（１２）をセンサ（１４）に面した通路（４２）の内壁部領域に対して押圧するように構成されていることを特徴とする請求項１又は２に記載の長さ測定装置。
【請求項４】  固着手段（３８；６０；４０．３）が、閉鎖されたベルト体として、又は弾性的な中空輪郭横断面を有するベルト体として形成されており、その際、ベルト体の横断面寸法が、液状又はガス状の媒体を供給もしくは導出することにより、ベルト体もしくは中空輪郭横断面の内部の容積を変更することによって変更可能であることを特徴とする請求項１〜３のいずれか１つに記載の長さ測定装置。
【請求項５】  固着手段（４０．１，４０．２）が、弾性的なベルト体として形成されており、このベルト体の横断面寸法が、弾性的なベルト体に作用する引張力を変更することによって変更することができるように構成されていることを特徴とする請求項１〜４のいずれか１つに記載の長さ測定装置。
【請求項６】  弾性的なベルト体が、ゴムベルト（４０．１）として形成されていることを特徴とする請求項５に記載の長さ測定装置。
【請求項７】  弾性的なベルト体が、波ベルト（４０．２）として形成されていることを特徴とする請求項５に記載の長さ測定装置。
【請求項８】  閉鎖された通路（４２）が、構造部分内に存在する溝（３２）及びこの溝（３２）をカバーするカバーベルト（３０）によって形成されていることを特徴とする請求項１〜７のいずれか１つに記載の長さ測定装置。
【請求項９】  作業領域に、即ちセンサ（１４）に、面した通路（４２）の壁部が、弾性的に凹状に通路内へと内に向かってアーチ形に整向された壁部として形成されており、寸法現示体（１２）が、通路内へと挿入された状態で凸状の壁部領域を外に向かって押圧し、これにより、弾性的に締め付けるように保持されることを特徴とする請求項１〜８のいずれか１つに記載の長さ測定装置。
【請求項１０】  寸法現示体（１２）、センサ（１４）及び固着手段（３８；４０．１，４０．２）を有する閉鎖された通路（４２）が、ガイド成形体（２２）に沿って又はその内部に配設されていることを特徴とする請求項１〜９のいずれか１つに記載の長さ測定装置。
【請求項１１】  固着手段（６０）が、少なくとも１つの弾性的なホースとして、特に少なくとも２つの弾性的に形成されたホースとして、形成されていることを特徴とする請求項１〜１０のいずれか１つに記載の長さ測定装置。
【請求項１２】  固着手段（４０．３）が、特に、その側部長手方向縁部に結合された弾性的に可曉性の凸状に湾曲させられた２つの壁ユニット（６２）を有する金属のベルト体として形成されていることを特徴とする請求項１〜１１のいずれか１つに記載の長さ測定装置。
【請求項１３】  固着手段（６０，４０．３）の内部中空空間が、少なくとも部分的に真空引き可能に形成されていることを特徴とする請求項１１又は１２に記載の長さ測定装置。
【請求項１４】  固着手段（６０，４０．３）の内部中空空間が、超過圧力又は環境圧力の下に設置可能であることを特徴とする請求項１１又は１２に記載の長さ測定装置。
【請求項１５】  固着手段が、弁ユニット（３６）を備えることを特徴とする請求項１〜１４のいずれか１つに記載の長さ測定装置。
【手続補正書】
【提出日】平成14年11月5日(2002.11.5)
【手続補正１】
【補正対象書類名】明細書
【補正対象項目名】特許請求の範囲
【補正方法】変更
【補正の内容】
【特許請求の範囲】
【請求項１】
電気化学的試験片カードにおいて、
少なくとも２個の電気化学的試験片の前駆体を備えており、当該前駆体がそれぞれ、
（ａ）対向している各電極により境界を定められていて試薬組成物を含む反応チャンバーと、
（ｂ）一体化されている乾燥剤を有しており、
前記カードの単一化の前に、各反応チャンバーが当該カードにおける乾燥剤に対してガスを介して連絡している電気化学的試験片カード。
【請求項２】
前記電気化学的試験片の前駆体がそれぞれさらに乾燥剤材料を収容する乾燥剤チャンバーを有している請求項１に記載の電気化学的試験片カード。
【請求項３】
前記乾燥剤チャンバーが同一の前駆体における反応チャンバーに対してガスを介して連絡している請求項２に記載の電気化学的試験片カード。
【請求項４】
前記乾燥剤チャンバーが隣接している前駆体の反応チャンバーに対してガスを介して連絡している請求項２に記載の電気化学的試験片カード。
【請求項５】
前記乾燥剤が指示薬を含有している請求項１乃至請求項４のいずれかに記載の電気化学的試験片カード。
【請求項６】
前記カードが当該カードからの前駆体の単一化により単一化される電気化学的試験片における前記反応チャンバーに対する流体の入口および出口の各チャンネルを有している単一化された電気化学的試験片を形成するように構成されている請求項１乃至請求項５のいずれかに記載の電気化学的試験片カード。
【請求項７】
前記単一化した電気化学的試験片が乾燥剤チャンバーに対してガスを介して連絡している反応チャンバーを有している請求項６に記載の電気化学的試験片カード。
【請求項８】
前記単一化した電気化学的試験片が乾燥剤チャンバーに対してガスを介して連絡していない反応チャンバーを有している請求項６に記載の電気化学的試験片カード。
【請求項９】
生理学的サンプル中の分析物の濃度を決定するための方法において、
（ａ）前記生理学的サンプルを電気化学的試験片の中に導入する工程を含み、当該電気化学的試験片が、
（ｉ）対向している各電極により境界を定められていて試薬組成物を含む反応チャンバーと、
（ｉｉ）前記電気化学的試験片の中に一体化されている乾燥剤を備えており、さらに、
（ｂ）前記各電極により前記反応領域内における一定の電気的信号を検出する工程と、
（ｃ）前記検出した電気的信号を前記サンプル中の分析物の量に関連付ける工程を含む方法。
【請求項１０】
生理学的サンプル中の分析物の濃度決定において使用するためのキットにおいて、
（ａ）少なくとも２個の電気化学的試験片前駆体を含む電気化学的試験片カードを備えており、当該前駆体がそれぞれ、
（ｉ）対向している各電極により境界を定められていて試薬組成物を含む反応チャンバーと、
（ｉｉ）一体化されている乾燥剤を有しており、
前記カードの単一化の前に、各反応チャンバーが当該カードにおける乾燥剤に対してガスを介して連絡しており、さらに、
（ｂ）（ｉ）前記生理学的サンプルを入手するための手段、および
（ｉｉ）一定の分析物標準物、の少なくとも一方を備えているキット。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】  プログラム可能な快適制御装置のためのユーザ・インターフェース・システムであって、
中央処理装置と、
少なくとも一つのユーザ・インターフェース・オブジェクト及び少なくとも一つの制御アルゴリズムを格納することができ、前記中央処理装置に結合されたメモリと、
タッチを感知することができるスクリーンを備えるディスプレイ・ユニットであって、前記中央処理装置と結合され、前記ユーザ・インターフェース・オブジェクトを描画表示し、ユーザが前記制御アルゴリズムをプログラムすることを可能にするためのディスプレイ・ユニットと、
ユーザの好みの言語を選択することを可能にする言語選択装置であって、それにより前記ディスプレイ・ユニットが前記ユーザ・インターフェース・オブジェクトを前記好みの言語で表示することが可能である言語選択装置と、
を備えるシステム。
【請求項２】  請求項１記載のユーザ・インターフェース・システムであって、更に、ネットワークに接続するためのネットワーク・インターフェースを備え、該ネットワーク・インターフェースが前記中央処理装置に結合されるシステム。
【請求項３】  請求項１記載のユーザ・インターフェース・システムであって、更に、前記メモリに格納された少なくとも一つの初期インターフェース・オブジェクトを含み、前記初期インターフェース・オブジェクトが、前記好みの言語の選択を可能にする際に前記言語選択装置により使用されるシステム。
【請求項４】  請求項２記載のユーザ・インターフェース・システムであって、前記ネットワーク・インターフェースが前記ユーザ・インターフェース・システムをインターネットに接続するシステム。
【請求項５】  請求項２記載のユーザ・インターフェース・システムであって、前記ネットワーク・インターフェースが前記ユーザ・インターフェース・システムを電話網に接続するシステム。
【請求項６】  請求項２記載のユーザ・インターフェース・システムであって、前記ネットワーク・インターフェースが前記ユーザ・インターフェース・システムを携帯電話網に接続するシステム。
【請求項７】  請求項２記載のユーザ・インターフェース・システムであって、前記ネットワーク・インターフェースが赤外線接続を用いて前記ユーザ・インターフェース・システムを前記ネットワークに接続するシステム。
【請求項８】  請求項２記載のユーザ・インターフェース・システムであって、前記ネットワーク・インターフェースが無線周波数接続を用いて前記ユーザ・インターフェース・システムを前記ネットワークに接続するシステム。
【請求項９】  ユーザ・インターフェース・システムを用いる温度快適制御装置のプログラム方法であって、該ユーザ・インターフェース・システムが
中央処理装置と、
少なくとも一つのユーザ・インターフェース・オブジェクト及び少なくとも一つの制御アルゴリズムを格納することができるメモリと、
前記ユーザ・インターフェース・オブジェクトを描画表示し、ユーザが前記制御アルゴリズムをプログラムすることを可能にするための、タッチを感知することができるスクリーンを備えるディスプレイ・ユニットと、
ユーザの好みの言語を選択することを可能にし、それにより前記ディスプレイ・ユニットが前記ユーザ・インターフェース・オブジェクトを前記好みの言語で表示することが可能である言語選択装置と、
を有し、前記メモリ、前記言語選択装置及び前記ディスプレイ・ユニットが前記中央処理装置に結合されるプログラム方法であって、該方法が、
前記言語選択装置による利用のために、少なくとも一つの初期インターフェース・オブジェクトを前記メモリにロードするステップと、
前記初期インターフェース・オブジェクトを表示してユーザに言語を選択することを要求するステップと、
前記言語選択装置により好みの言語を選択するステップと、
ユーザ・インターフェース・オブジェクトを前記好みの言語で表示する際に前記ディスプレイ・ユニットにより利用されるために、少なくとも一つのユーザ・インターフェース・オブジェクトを前記メモリにロードするステップと、
を含む方法。
【請求項１０】  請求項９記載の温度快適制御装置のプログラム方法であって、更に、少なくとも一つの制御アルゴリズムを前記メモリにロードするステップを含む方法。
【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】  熱酸素やり（１３）を点火するための酸素やり点火器であって、やりの口を越えて特定の口位置（１０）に達するまですべり込まされることを意図されており、かつやり（１３）の口からの高濃度酸素の供給によって開始または点火されることを意図されている酸素やり点火器において、酸素やり点火器がやり（１３）の口より大きな内径を持つ套管（１）中に収容された、好ましくは鉄及び／またはアルミニウム粉末からなる点火装薬（６ａ，６ｂ）を含み、この套管がその端部の一つで閉じられており、さらに前記点火装薬（６ａ，６ｂ）を開始するために、開始装薬（７）を含み、この開始装薬（７）がガス透過性の、好ましくは燃焼可能な容器（８）内に配置されており、かつこの開始装薬（７）が純金属粉末ジルコニウム（７）またはチタンの形で自由に存在することを特徴とする酸素やり点火器。
【請求項２】  前記開始装薬（７）が套管内の酸素やり（１３）の口位置（１０）と点火装薬（６ａ，６ｂ）との間に配置されていることを特徴とする請求項１に記載の酸素やり点火器。
【請求項３】  前記開始装薬（７）が略２−６μｍの粒径を持つ０．０５−０．５ｇの純金属粉末ジルコニウムからなることを特徴とする請求項１または２に記載の酸素やり点火器。
【請求項４】  ジルコニウムの開始装薬（７）が最初に貯蔵されている前記ガス透過性容器（８）が、多孔性フェルトから作られていることを特徴とする請求項３に記載の酸素やり点火器。
【請求項５】  ガス透過性材料から作られた容器（８）が多孔性フェルトから作られた完全に覆うカバーを備えた同じフェルト材料から作られたカップとして設計されており、カップの内容積（９）がジルコニウムの開始装薬（７）の合計容積をかなり越えることを特徴とする請求項４に記載の酸素やり点火器。
【請求項６】  点火装薬（６ａ，６ｂ）が鉄とアルミニウム粉末の混合物からなることを特徴とする請求項１−５のいずれか一つに記載の酸素やり点火器。
【請求項７】  点火装薬（６ａ，６ｂ）がより微細粒子の第一部分装薬（６ａ）と幾らかより粗い粒子の第二部分装薬（６ｂ）とを含み、これらの両部分装薬が重量比１：１で鉄とアルミニウムを含むことを特徴とする請求項６に記載の酸素やり点火器。
【請求項８】  点火器に含まれた点火装薬が０．０１ｍｍのオーダーの粒径を持つ鉄粉末と０．１ｍｍのオーダーの大きさのアルミニウム粒子を含む第一部分装薬（６ａ）と、０．４−０．８ｍｍのオーダーの粒径を持つ鉄粉末と１−３ｍｍのオーダーの大きさのアルミニウム顆粒を含むより粗い粒子の第二部分装薬（６ｂ）とを含むことを特徴とする請求項７に記載の酸素やり点火器。
【請求項９】  点火装薬（６ａ，６ｂ）のより微細な粒子部分装薬（６ａ）がジルコニウムの開始装薬（７）が配置されているガス透過性容器に直ぐ隣接して配置されていることを特徴とする請求項８に記載の酸素やり点火器。
【請求項１０】  酸素やりより大きな内径を持つ、両端が開いた外管部（１）、前記外管部内にアップセットくぼみ（４）のためを意図した溝（３）内に収容されたアップセットくぼみ（４）により固定されており、かつ一端で完全に閉じられている内部套管（２）からなり、更に点火及び開始装薬（６ａ，６ｂ）が套管内に配置された内部ダクトまたは孔（５）中に挿入されており、前記内部套管（２）が酸素やり（１３）の口を案内すること及びそれを套管の内部ダクト（５）の直ぐ上にしっかりと保持することを意図した少なくとも二つの案内舌片（１１，１２）、及びやりの套管中への挿入をやりが開始装薬に達する前の一定の位置に制限する停止フランジ（１０）、及びやりから流出するガスが開始装薬の直ぐ上の空間から流出し、やりを過ぎて戻るのを可能とするガス流出開口（１５）を持つことを特徴とする請求項１−８のいずれか一つに記載の酸素やり点火器。
【請求項１１】  水中使用のためを主として意図しており、やり（１３）に対面する点火器の端部とそれに隣接したやりの口とを取り巻く弾性シールカラー（１６）、及び最初にジルコニウムまたはチタンの開始装薬を覆う保護箔であってその強度が酸素が供給されるときそれが断片に吹き飛ばされるような態様で選ばれた保護箔（１７）を含むことを特徴とする請求項１−１０のいずれか一つに記載の酸素やり点火器（１ａ）。
【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】  粒度分布の監視装置であって、
超音波エネルギーの発生源として適合され、かつ液体中に粒子を含む懸濁と接触して配置されたトランスデューサであって、トランスデューサは懸濁を介して超音波エネルギーを伝達し、エネルギーは所定の範囲の周波数成分を含む広帯域パルスを含むトランスデューサと、
超音波エネルギーの受信器として適合され、かつ懸濁を通過した超音波エネルギーの前記広帯域範囲を受信するように前記懸濁と接触して配置されたトランスデューサと、
前記受信器からの信号を受理し、かつ広帯域超音波エネルギーが懸濁を通過する際にその減衰を瞬間的に決定するように適合された第１の手段と
を含む粒度分布監視装置。
【請求項２】  懸濁の全粒度分布を表わす出力を生成するように適合された第２の手段をさらに含む、請求項１に記載の監視装置。
【請求項３】  第１の手段は前記信号用の対数プリアンプを含む、請求項１に記載の監視装置。
【請求項４】  第１の手段は前記信号用のＡ／Ｄデジタイザと、デジタル化された信号用のＦＦＴアナライザと、測定された減衰を表わすＦＦＴデータの規模を取得する手段とを含み、
第２の手段は推定されたＰＳＤを決定する手段と、推定されたＰＳＤを測定された減衰と比較して適合度を決定する手段とを含む、請求項１に記載の監視装置。
【請求項５】    第１の手段は、受信器からの前記信号を、それがＡ／Ｄデジタイザにより処理される前に圧縮する対数プリアンプをさらに含む、請求項４に記載の監視装置。
【請求項６】  第１の手段は、受信器からの前記信号を、それがＡ／Ｄデジタイザにより処理される前に追加の減衰を制御する手段をさらに含む、請求項４に記載の監視装置。
【請求項７】  超音波エネルギーの発生源は、懸濁の１０体積％以上を構成する粒子を含む懸濁内の減衰を決定するように１００ｋＨｚ〜５ＭＨｚの範囲にある中心周波数を有する、請求項１に記載の監視装置。
【請求項８】  超音波エネルギーの発生源は、懸濁の１５体積％以下を構成する粒子を含む懸濁内の減衰を決定するように５ＭＨｚ〜５０ＭＨｚの範囲にある中心周波数を有する、請求項１に記載の監視装置。
【請求項９】  エネルギービームを送信するトランスデューサおよびエネルギービームを受信するトランスデューサは同一のトランスデューサであり、懸濁内でトランスデューサと対向して配置された反射器をさらに含み、トランスデューサは反射器からエネルギーの多数の反響を受信し、多数の反響内の情報から補正された減衰値を決定するように適合された、請求項１に記載の監視装置。
【請求項１０】  懸濁を通過する際の超音波エネルギーの減衰を瞬間的に決定するように適合された第１の手段は、トランスデューサから離れて配置され、かつ光ファイバーケーブルによりトランスデューサに接続されているコンピュータである、請求項１に記載の監視装置。
【請求項１１】  動的条件下で懸濁中の粒子の粒度分布を監視する方法であって、
周波数成分の広帯域範囲を含む超音波エネルギーの第１のパルスを、パルスを減衰させる懸濁を介して送信する工程と、
パルスが懸濁を通過した後で減衰されたパルスを受信する工程と、
減衰された第１のパルスを表わす第１の信号を生成する工程と、
高速アナログ−デジタル変換器により第１の信号をデジタル化して、時間領域信号を形成する工程と、
時間領域信号を同値の周波数領域信号あるいは各信号のスペクトルに変換するようにフーリエ変換を適用する工程と、
スペクトルをデシベル値（ｄＢ）に変換して、減衰を周波数の関数として表わす工程と
を含む方法。
【請求項１２】  懸濁の全粒度分布を決定するように減衰を進め、前記決定結果を出力として表わす工程をさらに含む、請求項１１に記載の方法。
【請求項１３】  広帯域範囲の周波数成分を含む超音波エネルギーの第１のパルスを懸濁を介して伝達する工程は、微細粒子を含む懸濁を介してエネルギーを伝達する工程を含む、請求項１１に記載の方法。
【請求項１４】  反射器で第１のパルスを反射する工程と、
第１の経路長にわたって移動した第１のパルスの第１の反響を検出し、第１の反響のスペクトルを決定する工程と、
第２の経路長にわたって移動した第１のパルスの第２の反響を検出し、第２の反響のスペクトルを決定する工程と、
第１の反響スペクトルと第２の反響スペクトルとの差を決定し、その差を第１の経路長と第２の経路長との差で除算して、システム変動が補正された減衰を得る工程と
を含む、請求項１１に記載の方法。
【請求項１５】  周波数成分の広帯域範囲を含む超音波エネルギーの第１のパルスを、懸濁を介して送信する工程は、１０体積％以上の粒子を含む懸濁を介して送信する工程を含み、第１のパルスの広帯域幅は５ＭＨｚ以下の中心周波数を有する、請求項１１に記載の方法。
【請求項１６】  周波数成分の広帯域範囲を含む超音波エネルギーの第１のパルスを、懸濁を介して送信する工程は、１０％体積以下の粒子を含む懸濁を介して送信する工程を含み、第１のパルスの広帯域幅は５ＭＨｚ以上の中心周波数を有する、請求項１１に記載の方法。
【請求項１７】  送信および受信は、０．２５インチ（０．６４ｃｍ）を超える長さを有する音響経路に沿って生じる、請求項１１に記載の方法。
【請求項１８】  粒度監視を利用して、粒子を析出させるプロセスを制御する方法であって、
請求項１１に記載の方法を繰り返し適用して、粒度が変化している溶液のマスターバッチを介して超音波パルスの減衰に関するデータを連続的に集める工程と、
粒度が所定の減衰値に達した際に信号を生成する工程と、
信号が生成された後で、溶液のサブバッチを回収する工程と、
回収時に測定された減衰信号に基づいて、回収されたサブバッチに添加される第２の溶液の濃度を予め決定する工程と、
前記所定の濃度の第２の溶液をサブバッチに添加して、粒子を析出させる工程とを含む方法。
【請求項１９】  マスターバッチは金属塩溶液であり、析出した粒子は金属粒子である、請求項１８に記載の方法。
【請求項２０】  金属塩溶液は銀塩溶液であり、析出した粒子は銀粒子である、請求項１９に記載の方法。
【手続補正書】
【提出日】平成16年12月2日(2004.12.2)
【手続補正１】
【補正対象書類名】明細書
【補正対象項目名】００２５
【補正方法】変更
【補正の内容】
【００２５】
プライマー処方の反射値が表３に示され、ここでＲ白は比較例Ａの白色プライマーの反射であり、Ｒ黒は比較例Ｂの黒色プライマーの反射であり、Ｒ灰は比較例Ｃの灰色プライマーの反射である。Ｒ赤１、Ｒ赤２、Ｒ赤３は実施例２のプライマーの反射である。
2004516467.tif 000001
【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
ストッパを有するベースと、
軸支されたプーリを有し、ハウジング外面を有するハウジングと、
前記ハウジングとベースの間に設けられ、前記ハウジングが所定の経路上を変動するように拘束される機械的係合手段と、
前記ストッパに係合するための部位を有し、前記ハウジング外面に摺接するダンピング表面を有するダンピング部材と、
前記ダンピング部材に接続される端部と前記ハウジングに接続される他端部とを有し、前記ハウジング外面の外側に配設された付勢部材とを備え、
力が作用するとき、前記ハウジングは前記ストッパに抗して前記ダンピング部材の部位を押して前記所定の経路に沿って変動し、前記付勢部材は前記ハウジングのさらなる変動に抵抗し、前記ハウジング外面に接触する前記ダンピング表面はハウジングの変動を減衰させる
テンショニングアイドラ。
【請求項２】
前記プーリの回転軸が前記所定の経路に実質的に垂直である請求項１のテンショニングアイドラ。
【請求項３】
前記機械的係合手段がさらに、
前記ベースに取付けられた少なくとも一対のレールを有し、前記レールがプーリの回転軸に関して相互にずれている第１のベアリング部材と、
前記ハウジングに取付けられ、前記レールに摺接する第２のベアリング部材とを備える
請求項１のテンショニングアイドラ。
【請求項４】
前記所定の経路が実質的に円弧状である請求項１のテンショニングアイドラ。
【請求項５】
前記付勢部材が捻りバネを備える請求項１のテンショニングアイドラ。
【請求項６】
前記ハウジング表面が実質的に円弧状である請求項１のテンショニングアイドラ。
【請求項７】
前記機械的係合手段がピボットを備える請求項１のテンショニングアイドラ。
【請求項８】
前記付勢部材と前記ハウジングと前記ダンピング部材が、前記プーリの環状空間内に収容される請求項２のテンショニングアイドラ。
【請求項９】
ストッパを有するベースと、
ハウジング表面を有するハウジングと、
前記ベースに取付けられた第１のベアリング部材と、前記ハウジングに取付けられ前記第１のベアリング部材に組み合わされて摺動自在に係合する第２のベアリング部材とを備え、前記第１のベアリング部材がレール面を有して偶力ＦRが前記第２のベアリング部材を介して前記レール面に作用する、前記ハウジングとベースの間に設けられた機械的係合手段と、
前記ハウジング表面に摺接するダンピング表面と前記ストッパに係合するための部位とを有するダンピング部材と、
前記ダンピング部材に接続される端部と前記ハウジングに接続される他端部とを有する付勢部材とを備え、
力が作用するとき、前記ハウジングは前記ストッパに抗して前記ダンピング部材の部位を押して前記所定の経路に沿って変動し、前記付勢部材は前記ハウジングのさらなる変動に抵抗し、前記ハウジング表面に接触する前記ダンピング表面はハウジングの変動を減衰させる
テンショニングアイドラ。
【請求項１０】
前記ハウジングに軸支されたプーリであって、前記プーリの回転軸が前記所定の経路に実質的に垂直であるプーリをさらに備え、
前記プーリの回転軸が対称のベアリング軸に対して偏位している
請求項１０のテンショニングアイドラ。
【請求項１１】
ベースに摩擦摺動係合し、直線的な経路に沿って移動するように拘束されたハウジングと、
前記ハウジングに摩擦係合する円弧状ダンピング部材と、
前記ハウジングの外側に配設されるとともに、前記ベースと前記円弧状ダンピング部材に係合し、これにより前記付勢部材が前記ハウジングの移動に抵抗する付勢部材と、
前記ハウジングに軸支されたプーリと
を備えるテンショナ。
【請求項１２】
前記ベースと前記ハウジングの間に配設されるリニアベアリングをさらに備える請求項１１のテンショナ。
【請求項１３】
前記付勢部材が捻りバネを備える請求項１１のテンショナ。
【請求項１４】
前記リニアベアリングがプーリの回転中心から径方向に偏位する請求項１２のテンショナ。
【請求項１５】
前記ハウジングと付勢部材と円弧状ダンピング部材がプーリの環状空間に収容される請求項１１のテンショナ。
【請求項１６】
ベースに摩擦摺動係合するハウジングと、
少なくとも２つのレール面を有し、前記レール面が前記ハウジングに係合し、前記レール面がプーリの回転軸に関して相互に偏位するベースとを備え、
前記ハウジングが、前記ハウジングを介して前記レール面に作用する偶力ＦRの作用によって実質的に直線的な経路に沿って移動するように拘束され、
ハウジング外面に摩擦係合し、前記ベースに係合可能な円弧状ダンピング部材と、
前記円弧状ダンピング部材と前記ハウジングに係合し、前記ハウジング外面の外側に配設される付勢部材と、
前記ハウジングに軸支されるプーリと
を備えるテンショナ。
【請求項１７】
前記付勢部材が捻りバネを備える請求項１６のテンショナ。
【請求項１８】
ストッパを有するベースと、
軸支されたプーリを有し、ハウジング外面を有するハウジングと、
前記ハウジングとベースの間に設けられ、前記ハウジングが円弧状の経路に沿って移動するように拘束される回転係合手段と、
前記ストッパに係合可能であり、前記ハウジング外面に摺接する円弧状ダンピング表面を有するダンピング部材と、
前記ダンピング部材に接続される端部と前記ハウジングに接続される他端部とを有し、ハウジング外面の外側に配設された付勢部材と
を備えるテンショニングアイドラ。
【請求項１９】
前記付勢部材が捻りバネを備える請求項１８のテンショニングアイドラ。
【手続補正書】
【提出日】平成14年8月27日(2002.8.27)
【手続補正１】
【補正対象書類名】明細書
【補正対象項目名】特許請求の範囲
【補正方法】変更
【補正の内容】
【特許請求の範囲】
【請求項１】
ハウジングと、
該ハウジング内に配置され、該ハウジングとの間に通路を形成する支持部材と、
対向する２つの端部及び対向する２つの側部を有し、該側部が互いに近接するようにそれ自体が折り重ねられ、該側部が前記支持部材に固定され、前記端部がシールされて、チャンバを形成するようになった波形材料のシートを各々が含み、前記支持部材に固定された複数の熱伝導セルと、
入口ヘッダと、
各々が前記入口ヘッダ及び前記チャンバと流体連通する、前記支持部材に形成された複数の入口と、
出口ヘッダと、
各々が前記出口ヘッダ及び前記チャンバと流体連通する、前記支持部材に形成された複数の出口と、
を組み合わせて含むことを特徴とするタービンの復熱装置。
【請求項２】
前記チャンバが、予熱される空気が通過する低温セルを形成することを特徴とする、請求項１に記載のタービンの復熱装置。
【請求項３】
前記ハウジングが円筒形断面を有することを特徴とする、請求項１に記載のタービンの復熱装置。
【請求項４】
前記支持部材が円筒形断面を有し、前記ハウジングに対し同軸に延びることを特徴とする、請求項３に記載のタービンの復熱装置。
【請求項５】
円筒形ハウジングと、
該ハウジング内に同軸に配置され、高温の排気空気が通過する環状通路を前記ハウジングとの間に形成する円筒形支持部材と、
対向する２つの端部及び対向する２つの側部を有し、該側部が互いに近接するようにそれ自体が折り重ねられ、該側部が前記支持部材に固定され、前記端部がシールされて、チャンバを形成するようになった波形材料のシートを各々が含み、前記支持部材に固定された複数の熱伝導セルと、
入口ヘッダと、
各々が前記入口ヘッダ及び前記チャンバと流体連通して予熱される低温空気を前記チャンバに導入する、前記支持部材に形成された複数の入口と、
出口ヘッダと、
各々が前記出口ヘッダ及び前記チャンバと流体連通する、前記支持部材に形成された複数の出口と、
を組み合わせて含むことを特徴とするタービンの復熱装置。
【請求項６】
前記熱伝導セルが、その半径方向寸法に沿って、前記支持部材に対して湾曲していることを特徴とする、請求項４又は請求項５に記載のタービンの復熱装置。
【請求項７】
前記入口ヘッダから前記入口、前記チャンバ及び前記出口ヘッダを経て、前記出口ヘッダに通る低温空気の流れと逆方向に、高温の排気空気の流れを与えるように、前記通路が構成されることを特徴とする、請求項１に記載のタービンの復熱装置。
【請求項８】
前記波形材料が金属であることを特徴とする、請求項１又は請求項５に記載のタービンの復熱装置。
【請求項９】
前記側部が前記支持部材に溶接されていることを特徴とする、請求項８に記載のタービンの復熱装置。
【請求項１０】
前記端部を互いに溶接して、シールを形成することを特徴とする、請求項８に記載のタービンの復熱装置。
【請求項１１】
前記波形材料が鉄であることを特徴とする、請求項１又は請求項５に記載のタービンの復熱装置。
【請求項１２】
前記波形材料がニッケル基合金であることを特徴とする、請求項１又は請求項５に記載のタービンの復熱装置。
【手続補正書】
【提出日】平成16年11月25日(2004.11.25)
【手続補正１】
【補正対象書類名】明細書
【補正対象項目名】請求項１
【補正方法】変更
【補正の内容】
【請求項１】光源と、液晶ディスプレイパネルと、前記液晶ディスプレイパネルに前記光源からの光を予め決定されたコリメート角度でコリメートするコリメートシステムと、見る人の側で前記液晶ディスプレイパネルに光学的に結合されるレンチキュラスクリーンとを有し、前記レンチキュラスクリーンのレンチキュラが、第２方向の輝度分散を拡大するために第１方向に向けられている、ディスプレイ装置であって、
前記レンチキュラが、台形の形状をもつことを特徴とするディスプレイ装置。
【手続補正２】
【補正対象書類名】明細書
【補正対象項目名】請求項６
【補正方法】変更
【補正の内容】
【請求項６】前記第２方向において互いに隣り合うように構成されるとともに、前記第１方向にシームをもつ、表示される画像のサイズを拡大するための２つの液晶ディスプレイパネルを有する、請求項１に記載のディスプレイ装置。
【手続補正書】
【提出日】平成15年5月15日(2003.5.15)
【手続補正１】
【補正対象書類名】明細書
【補正対象項目名】特許請求の範囲
【補正方法】変更
【補正の内容】
【特許請求の範囲】
【請求項１】
グラフィックイメージを表示するように構成され、グラフィックイメージと付随した音声部分を再生するための音声出力装置を有する機械を備え、機械が更に以下に提示した順序のように、言語を教授するために構成されており、そのすべてが専らその言語で提示されて；
（Ａ）それぞれが少なくとも一つの単語を含む語彙項セットが、各語彙項のグラフィックイメージを連続的に提示し、語彙項の各グラフィックイメージをその語彙項の発言形式を含む音声部分に随伴させることによって連続的に提示され、少なくとも一部の語彙項のグラフィックイメージを随伴する音声部分は、その語彙項をそれぞれ標準的に随伴する句構造を含んで提示すること；
（Ｂ）（ｉ）句または文のセットを形成する他の単語と組み合わせた第一の提示からの語彙項および句または文のセットが、各句または文と相関するグラフィックイメージを連続的に表示し、句または文の発言形式を含む音声部分に各グラフィックイメージを随伴させることによって連続的に提示すること；
を含むことを特徴とする言語を教授するための装置。
【請求項２】
グラフィックイメージおよびテキスト資料を表示するように構成され、且つグラフィックイメージおよび／またはテキスト資料と付随した音声部分を再生するための音声出力装置を有する機械を備え、機械は更に、言語を以下の提示順序により教授するように構成されており、そのすべてが専らその言語で提示されて；
（Ａ）（ｉ）それぞれが少なくとも一つの単語を含む語彙項セットが、各語彙項のグラフィックイメージを連続的に表示し、語彙項の各グラフィックイメージをその語彙項の発言形式を含む音声部分に随伴させることによって、連続的に提示され、少なくとも一部の語彙項のグラフィックイメージを随伴する音声部分は、その語彙項をそれぞれ標準的に随伴する句構造を含み；（ｉｉ）語彙項のそれぞれのグラフィックイメージを連続的に表示し、音声部分を随伴させることによって少なくとも追加の一回、語彙項セットが連続的に表示される第一の提示と；
（Ｂ）（ｉ）語彙項セットが各語彙項のグラフィックイメージおよび各語彙項の筆記形式を連続的に表示し、各語彙項および語彙項の筆記形式を語彙項の発言形式を含む音声部分に随伴させることによって連続的に提示され、少なくとも一部の語彙項のグラフィックイメージおよび筆記形式を随伴する音声部分は、その語彙項をそれぞれ標準的に随伴する句構造を含み；（ｉｉ）語彙項のそれぞれのグラフィックイメージおよび筆記形式を連続的に表示し、音声部分を随伴させることによって少なくとも追加の一回、語彙項セットが連続的に表示される第二の提示と；
（Ｃ）（ｉ）第一および第二の提示からの語彙項が句または文のセットに結合され、各句または文と相関するグラフィックイメージを連続的に表示し、句または文の発言形式を含む音声部分に各グラフィックイメージを随伴させることによって句または文のセットが連続的に表示され；（ｉｉ）句または文のセットおよび随伴する音声部分が少なくとも追加の一回、連続的に表示される第三の提示と、を含むことを特徴とする言語を教授するための装置。
【請求項３】
言語を教授するためのシステムにおいて、前記システムが；
画面と、音声出力装置と、少なくとも一つの記憶装置とを有するコンピュータシステムを備え；
前記少なくとも一つの記憶装置に記憶された語彙項セットと、専らその言語である複数の音声部分と、複数のグラフィックイメージとを含む記憶されたデータを備え、各前記語彙項が、前記少なくとも一つの記憶装置に記憶された語彙項セットを含み、少なくとも一つの前記音声ファイルが各前記語彙項の発言表示に対応し、これを含み、少なくとも一つの前記グラフィックスファイルが各前記語彙項の視覚表示に対応し、且つこれを含み；
前記少なくとも一つの記憶装置に記憶された機械読取式指示の第一のセットを備え、前記機械読取式指示の第一のセットが、グラフィックイメージおよび前記語彙項セットからの語彙項と付随した音声部分を前記記憶装置から検索するためのもので；
前記少なくとも一つの記憶装置に記憶された機械読取式指示の第二のセットを備え、前記機械読取式指示の第二のセットが、前記語彙項に対応する前記グラフィックイメージを前記画面上に表示し、前記一つの語彙項に対応する前記音声部分を前記音声出力装置によって実質的に同時に再生するためのもので；
前記少なくとも一つの記憶装置内の補助機械読取式指示を備え、前記補助機械読取式指示が、（ｉ）グラフィックイメージを検索し、グラフィックイメージおよび前記セットの残りの語彙項に関連した関連音声部分が表示され、再生されるまで前記セットの残りの語彙項と関連した関連音声部分を再生し、（ｉｉ）グラフィックイメージ、および前記セットの語彙項のそれぞれの関連音声部分を検索、表示、および再生を反復するように構成され、；
少なくとも一部のグラフィックイメージに関連した音声部分が、関連語彙項をそれぞれ標準的に伴う句構造を含む；
ことを特徴とするシステム。
【請求項４】
前記記憶されたデータが、さらに前記少なくとも一つの記憶装置に記憶された組合せ語彙項セットと、組合せ音声部分と、組合せグラフィックイメージとを備え、各前記組合せ語彙項が、前記語彙項セットからの少なくとも一つの単語および少なくとも一つの他の単語と、各前記組合せ語彙項の発言表示に対応し、これを含む少なくとも一つの前記組合せ音声部分と、各前記組合せ語彙項と相関する視覚表示を含む少なくとも一つの前記組合せグラフィックイメージとを含み；
システムが前記少なくとも一つの記憶装置に記憶された機械読取式指示の組合せセットをさらに備え、前記機械読取式指示の組合せセットが、（ｉ）前記組合せ語彙項セットからの一つの前記組合せ語彙項に関連したグラフィックイメージおよび音声部分を前記画面上で検索、表示し、同時に前記音声装置上で再生すととともに、（ｉｉ）前記セットの組合せ語彙項からの他の組合せ語彙項のそれぞれに関連したグラフィックイメージおよび、音声部分を前記画面上で検索、表示し、実質的に同時に前記音声装置上で再生する、
ことを特徴とする請求項３に記載のシステム。
【請求項５】
前記第一、第二、および追加の機械読取式指示が、前記グラフィックイメージを音声部分に関連した語彙項の筆記形式を、前記画面上で検索し表示するように構成されていることを特徴とする請求項３または４に記載のシステム。
【請求項６】
前記音声部分が、複数の話者によって話された各前記語彙項の録音を含み；
前記機械読取式指示のセットが、前記語彙項セットのそれぞれのグラフィックイメージおよび関連音声部分の検索、表示、および再生が反復される時に、異なる話者によって話された少なくとも一部の語彙項の録音を検索し、再生することを特徴とする請求項３または４のいずれかに記載のシステム。
【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】  粉状製品を含む内側バッグと外側バッグを具備する二重式内部バッグを備える樽を空にするための装置において、この装置は、
透明な材料により少なくとも部分的に製作されるベルを具備するグラブボックスを具備しており、
それの上部に吸引ロッドの通過のための開口を具備しており、前記吸引ロッドは、該ロッドと前記ベルとの間のシールを確保する手段を備えており、
この装置において、
前記ベルの下部は、前記ベルが密閉状態で樽の上部に設置されるための手段と、２つのバッグの上部を、それらが開けられた後に、該ベルの下部に保持可能にする手段と、
を具備する装置。
【請求項２】  該ベルの下部は、空にされるべき前記樽とのシールを確保するために、平らなシールを具備する平らな面を具備しており、更に前記平らなシールは前記平らな面の下面に取付けられており、
該平らな面は、前記バッグの上部を保持するための手段を具備する、保持リングにより形成された環状の開口を具備する
請求項１に記載の装置。
【請求項３】  前記グラブボックス及び前記吸引ロッドは、空にされるべき樽上において、前記グラブボックス及び吸引ロッドアセンブリを上昇、下降可能に設計されるシャーシに設置される請求項１に記載の装置。
【請求項４】  前記グラブボックスは、前記装置を減圧状態に保持可能にするフィルタデバイスを具備する請求項１から３のいずれか一項に記載の装置。
【請求項５】  前記フィルタデバイスは、２つの滑らかなチューブを具備する前記ベルの側面における２つの開口により形成されており、その際前記２つの滑らかなチューブにおいてフィルタは、密閉状態で取り付けられており、更に
前記２つのチューブは空気循環装置に接続される
請求項４に記載の装置。
【請求項６】  該装置は、スプレイガンを取り付けられたホース内へ清浄液を供給するための入口をそれの上部に具備する、樽を備えていて且つ前記ベルを清浄するための、システムを具備する請求項１から５のいずれか一項に記載の装置。
【請求項７】  前記グラブボックスは、前記樽を交換する時に、前記バッグの廃物を除去するための開口を具備する請求項１から４のいずれか一項に記載の装置。
【請求項８】  請求項１から７のいずれか一項に記載の装置の使用方法であって、この方法は、
空にされるべき前記樽が、その蓋を取り外すことにより開けられて、それが前記グラブボックスの下に設置される手順と、
使い捨て可能なシールリングが、前記外側バッグの上部に挿入されて、それが前記ベルの前記リングに挿入される手順と、
前記外側バッグが開けられる手順と、
前記グラブボックスが、それが前記樽と密閉された接触状態になるまで、前記樽上に下げられる手順と、
前記グラブを使用して前記外側バッグが前記シールリングにより前記保持リングに固定される手順と、
前記内側バッグが開けられて、それがまた前記保持リングに固定に固定される手順と、
手が前記グラブから引き抜かれて、前記樽が前記吸引ロッドを使用して空にされる手順と、
前記樽が空になった場合に、前記グラブが前記内側バッグを取り外すように使用されて、前記シールリングと共に前記樽内に落下することを可能にする手順と、
前記グラブボックスは、前もって決められた高さ上に上昇される一方で、前記外側バッグを前記保持リング上に保持し、前記バッグが２つの紐を使用して軸方向に分離された２つの場所において閉じられる手順と、
前記バッグがこれらの２つの場所の間で切断される手順と、
前記バッグの上部が前記グラブボックスに残された状態で、前記バッグの下部が前記樽内に落下される手順と、
前記空の樽が除去される手順と、
新規の樽が所定位置に運び込まれる手順と、
前記と同じ方法が再度開始される手順と、
を具備する方法。
【請求項９】  前記空にされる手順は窒素雰囲気内で実施される請求項８に記載の方法。
【手続補正２】
【補正対象書類名】明細書
【補正対象項目名】０００７
【補正方法】変更
【補正の内容】
【０００７】
本発明に従う装置の利点は、一方で既にそれ自身が証明されたグラブボックスを、一方がもう一方の外側にある２つの内部バッグを具備する樽に設置することと、製品を吸い上げるために吸引ロッドを使用することと、更にその結果前記グラブボックスを介して操作することにより、別の樽を第１の樽の場所に置くことと、グラブボックスを非常にフレキシブルな状態で使用することと、が容易であることである。
【手続補正３】
【補正対象書類名】明細書
【補正対象項目名】００１４
【補正方法】変更
【補正の内容】
【００１４】
この装置を使用する方法は、図３から１３を参照して以下で説明される。オペレータは、樽１から蓋を外すことと、外側のバッグ１１を開けることと、使い捨て可能なシールリング６（図４）を内側に滑入することとにより開始する。シールリング６は、保持リング２４内に配置されて、外側バッグ１１はフレキシブルな紐を取り外すことにより開けられる（図５）。内側バッグ１２がまだ閉じられているので、この段階まで、樽内部に設置された製品との接触は可能ではない。その後に、グラブボックス２は、図６に示されるように、樽上に下ろされて、オペレータは、バッグの上部１１’を取り外すため及びベルの開口２９を通り袋内にそれを投げ入れるために、グラブボックス内のグラブに彼の手を設置しており、この場合、それ（バッグの上部１１’）は前の樽を空にする作業において留まっている。継続するために、外側バッグ１１の上部角部はＯリング（図２）により保持リング２４に固定される。その後、彼（オペレータ）は第２のバッグ１２を開けて（図７）、彼は開口２９を介してフレキシブルな紐を投げて、第２のバッグ１２の上部が同じＯリング又は第２のもの（Ｏリング）により保持リング２４上にやはり保持されることを確保する。この瞬間から、製品は吸い上げ可能であり、それは、内部に見られる最小の凹部から製品を吸い上げ可能にするために、吸引ロッド（図８）を下げること及び樽内部にそれを案内することにより実施される。オペレータは、このフェーズ（工程）において、グラブボックス・樽装置内部に閉じ込められた製品と接触しないで、且つ特別な衣服又は装置を着用しないで、吸引ロッドを操作する。
【手続補正書】
【提出日】平成16年12月13日(2004.12.13)
【手続補正１】
【補正対象書類名】明細書
【補正対象項目名】請求項７
【補正方法】変更
【補正の内容】
【請求項７】  ステップ：
基板（１）を準備する、
包囲する基板（１）に比較して高められたドーピング（ｎ＋；ｐ＋）を有する、基板（１）の表面に埋め込まれた層（５，５’）を設ける、
基板（１）の上に単結晶層（１０）を設ける、
単結晶層（１０）内部に高められたドーピング（ｎ＋；ｐ＋）を有する領域（１５，１５’）を設ける、
相応する多孔質領域（１５０；１５０’）を形成するために高められたドーピング（ｎ＋；ｐ＋）を有する領域（１５，１５’）を選択的に孔エッチングを行う、
エレクトロポリシング法を用いて多孔質領域（１５０；１５０’）を使用して埋め込まれた層（５，５’）を溶出することにより単結晶層（１０）の下の中空室（５０）及びその上にある膜領域（１０ａ）を形成する
からなることを特徴とする、マイクロメカニックス構成素子の製造方法。
【手続補正書】
【提出日】平成15年6月25日(2003.6.25)
【手続補正１】
【補正対象書類名】明細書
【補正対象項目名】特許請求の範囲
【補正方法】変更
【補正の内容】
【特許請求の範囲】
【請求項１】
ハウジング（１０）と、ハウジング（１０）に支持された回転モーター（２３、２４、５１）を備え、駆動ブレード（２３）と作業器具（２０）を具備した回転子（１９）を有する、空気圧動力工具において、
ハウジング（１０）が、加圧空気を複数の駆動ブレード（２３）へ導く加圧空気供給通路（４１、４７、５０）と、空気供給通路（４１、４７、５０）に通じる流量制御弁（４８）を具備した調速装置（４８、５２〜５５）と、発電機（５２、５３）の形をした速度応答作動装置と、流量制御弁（４８）に機械的に結合されたサーボモーター（５４）と、発電機（５２、５３）によって送られる電圧に応じて、サーボモーター（５４）作動させて、モーター速度を予定の速度レベルに維持するため流量制御弁（４８）を調節するように配置された制御ユニット（５５）を備えることを特徴とする動力工具。
【請求項２】
発電機（５２、５３）が、回転子（１９）に固定された永久磁石（５２）と、ハウジング（１０）に支持された巻コイルと、を備えることを特徴とする請求項１に記載の動力工具。
【請求項３】
作業器具（２０）がシャンク部分（２２）を備え、前記シャンク部分（２２）が回転子（１９）の一部分を形成することを特徴とする請求項１または２に記載の動力工具。